(57)【要約】【課題】色再現性を良好にする映像を表示すると共に、可視光若しくは赤外光でも焦点ずれのない撮像装置を提供すること。【解決手段】第１の光路および第２の光路を有し、入射された、被写体の像の情報を含む光を第１の光路又は第２の光路に切り替えて伝播させる光路切替手段１１２と、第１の光路から伝播された光を受光し、受光した光に応じたカラー映像信号を生成するカラー受光手段１１４と、第２の光路から伝播された光を受光し、受光した光に応じた白黒映像信号を生成する白黒受光手段１１５とを備え、固定されたレンズ１１１を有し、レンズに対して可視光で被写体の像の焦点が合う位置にカラー受光手段が配置され、レンズに対して赤外光で被写体の像の焦点が合う位置に前記白黒受光手段が配置されるよう構成する。【選択図】　図１
2004096533.tif 000002
【特許請求の範囲】
【請求項１】
第１の光路および第２の光路を有し、入射された、被写体の像の情報を含む光を前記第１の光路又は前記第２の光路に切り替えて伝播させる光路切替手段と、前記第１の光路から伝播された前記光を受光し、受光した前記光に応じたカラー映像信号を生成するカラー受光手段と、前記第２の光路から伝播された前記光を受光し、受光した前記光に応じた白黒映像信号を生成する白黒受光手段とを備えたことを特徴とする撮像装置。
【請求項２】
固定されたレンズを有し、前記レンズに対して可視光で前記被写体の像の焦点が合う位置に前記カラー受光手段が配置され、前記レンズに対して赤外光で前記被写体の像の焦点が合う位置に前記白黒受光手段が配置されることを特徴とする請求項１に記載の撮像装置。
【請求項３】
前記光を前記第１の光路又は前記第２の光路を切り替えることを示す信号である光路切替信号を外部から入力する切替信号入力手段を備え、前記切替信号入力手段が入力した前記光路切替信号が前記第１の光路に切り替えることを示していた場合、前記光路切替手段は、前記光を前記第１の光路に切り替えて伝播させ、前記切替信号入力手段が入力した前記光路切替信号が前記第２の光路に切り替えることを示していた場合、前記光路切替手段は、前記光を前記第２の光路に切り替えて伝播させることを特徴とする請求項１又は請求項２に記載の撮像装置。
【請求項４】
前記切替信号入力手段が入力した前記光路切替信号が前記第２の光路に切り替えることを示していた場合、赤外光を前記被写体に照射する赤外光照射手段を備えたことを特徴とする請求項３に記載の撮像装置。
【請求項５】
前記光の明度が基準値以下か否かを検出する明度検出手段を備え、前記明度検出手段が検出した前記光の明度が前記基準値を超えている場合、前記光路切替手段は、前記光を前記第１の光路に切り替えて伝播させ、前記明度検出手段が検出した前記光の明度が前記基準値以下である場合、前記光路切替手段は、前記光を前記第２の光路に切り替えて伝播させることを特徴とする請求項１又は請求項２に記載の撮像装置。
【請求項６】
前記明度検出手段が検出した前記光の明度が前記基準値以下である場合、赤外光を前記被写体に照射する赤外光照射手段を備えたことを特徴とする請求項５に記載の撮像装置。
【請求項７】
前記明度検出手段が検出した前記光の明度に応じて、前記赤外光照射手段は、前記赤外光を強弱させ前記被写体に照射することを特徴とする請求項６に記載の撮像装置。
【発明の詳細な説明】
【０００１】
【発明の属する技術分野】
本発明は、住宅、マンション等の建築物に設置される被写体を撮像する撮像装置に関するものである。
【０００２】
【従来の技術】
従来、建築物に設置される被写体を撮像する撮像装置としては、例えば特開２０００−２７８４１７号公報に開示されたものが知られており、図６は、従来の撮像装置であるテレビドアホン装置におけるカメラ玄関子機の構成を示す図である。
図６において、カメラ玄関子機６１０は、レンズ６１１、赤外光の波長近辺を透過する光学フィルタ６１３、受光した光に応じたカラー映像信号を生成するＣＣＤ（Ｃｈａｒｇｅ　Ｃｏｕｐｌｅｄ　Ｄｅｖｉｃｅｓ）等を有するカラー受光手段６１４、被写体に赤外光を照射する赤外光照射手段６１６、及び外光の明度を検出する明度検出手段６１７を備えた構成を有している。
この構成により、明度検出手段６１７は、夜間等で外光が暗いことを検出し、赤外光照射手段６１６は、被写体に赤外光を照射し、レンズ６１１を通して入射された光は、カラー受光手段６１４によって映像信号に変換され、ディスプレイなどに表示されていた。
【０００３】
【発明が解決しようとする課題】
しかしながら、このような従来の撮像装置では、昼間でも夜間でも被写体を表示することができる一方、夜間などで白熱電球のような赤外光が多く含まれた照明下で被写体が撮像されると、色再現性の悪い映像が表示されるという問題があった。また、受光される可視光と赤外光における光の波長が異なるために、可視光に焦点を合わせていると、赤外光には焦点が合わなくなるという問題があった。
本発明は、このような従来の課題を解決するためになされたもので、白熱電球などの赤外光が多く含まれた照明で被写体が撮像されても、色再現性を良好にする映像を表示すると共に、可視光若しくは赤外光でも焦点ずれのない撮像装置を提供することを目的とするものである。
【０００４】
【課題を解決するための手段】
本発明の撮像装置は、第１の光路および第２の光路を有し、入射された、被写体の像の情報を含む光を前記第１の光路又は前記第２の光路に切り替えて伝播させる光路切替手段と、前記第１の光路から伝播された前記光を受光し、受光した前記光に応じたカラー映像信号を生成するカラー受光手段と、前記第２の光路から伝播された前記光を受光し、受光した前記光に応じた白黒映像信号を生成する白黒受光手段とを備えた構成を有している。この構成により、外光が明るい場合、カラー映像で表示、外光が暗い場合、白黒映像で表示するため、白熱電球のような赤外光が多く含まれた照明下で被写体が撮像されても、色再現性を良好にする映像を表示することができる。
【０００５】
また、本発明の撮像装置は、第１の光路および第２の光路を有し、入射された、被写体の像の情報を含む光を前記第１の光路又は前記第２の光路に切り替えて伝播させる光路切替手段と、前記第１の光路から伝播された前記光を受光し、受光した前記光に応じたカラー映像信号を生成するカラー受光手段と、前記第２の光路から伝播された前記光を受光し、受光した前記光に応じた白黒映像信号を生成する白黒受光手段とを備え、さらに、固定されたレンズを有し、前記レンズに対して可視光で前記被写体の像の焦点が合う位置に前記カラー受光手段が配置され、前記レンズに対して赤外光で前記被写体の像の焦点が合う位置に前記白黒受光手段が配置される構成を有している。この構成により、可視光、赤外光のどちらでも焦点が合う位置にＣＣＤ等の受光手段を配置するため、焦点ずれのない映像を撮像することができる。
【０００６】
また、本発明の撮像装置は、第１の光路および第２の光路を有し、入射された、被写体の像の情報を含む光を前記第１の光路又は前記第２の光路に切り替えて伝播させる光路切替手段と、前記第１の光路から伝播された前記光を受光し、受光した前記光に応じたカラー映像信号を生成するカラー受光手段と、前記第２の光路から伝播された前記光を受光し、受光した前記光に応じた白黒映像信号を生成する白黒受光手段とを備え、さらに、前記光を前記第１の光路又は前記第２の光路を切り替えることを示す信号である光路切替信号を外部から入力する切替信号入力手段を備え、前記切替信号入力手段が入力した前記光路切替信号が前記第１の光路に切り替えることを示していた場合、前記光路切替手段は、前記光を前記第１の光路に切り替えて伝播させ、前記切替信号入力手段が入力した前記光路切替信号が前記第２の光路に切り替えることを示していた場合、前記光路切替手段は、前記光を前記第２の光路に切り替えて伝播させる構成を有している。この構成により、第１の光路または第２の光路に切替えることができるために、映像の品質に応じてカラー映像若しくは白黒映像の選択を提供することができる。
【０００７】
また、本発明の撮像装置は、第１の光路および第２の光路を有し、入射された、被写体の像の情報を含む光を前記第１の光路又は前記第２の光路に切り替えて伝播させる光路切替手段と、前記第１の光路から伝播された前記光を受光し、受光した前記光に応じたカラー映像信号を生成するカラー受光手段と、前記第２の光路から伝播された前記光を受光し、受光した前記光に応じた白黒映像信号を生成する白黒受光手段とを備え、さらに、前記光を前記第１の光路又は前記第２の光路を切り替えることを示す信号である光路切替信号を外部から入力する切替信号入力手段を備え、前記切替信号入力手段が入力した前記光路切替信号が前記第１の光路に切り替えることを示していた場合、前記光路切替手段は、前記光を前記第１の光路に切り替えて伝播させ、前記切替信号入力手段が入力した前記光路切替信号が前記第２の光路に切り替えることを示していた場合、前記光路切替手段は、前記光を前記第２の光路に切り替えて伝播させ、また、前記切替信号入力手段が入力した前記光路切替信号が前記第２の光路に切り替えることを示していた場合、赤外光を前記被写体に照射する赤外光照射手段を備えた構成を有している。この構成により、夜間など外光が暗い場合、被写体に赤外光を照射するため、色再現性を良好にする映像を表示することができる。
【０００８】
また、本発明の撮像装置は、第１の光路および第２の光路を有し、入射された、被写体の像の情報を含む光を前記第１の光路又は前記第２の光路に切り替えて伝播させる光路切替手段と、前記第１の光路から伝播された前記光を受光し、受光した前記光に応じたカラー映像信号を生成するカラー受光手段と、前記第２の光路から伝播された前記光を受光し、受光した前記光に応じた白黒映像信号を生成する白黒受光手段とを備え、さらに、前記光の明度が基準値以下か否かを検出する明度検出手段を備え、前記明度検出手段が検出した前記光の明度が前記基準値を超えている場合、前記光路切替手段は、前記光を前記第１の光路に切り替えて伝播させ、前記明度検出手段が検出した前記光の明度が前記基準値以下である場合、前記光路切替手段は、前記光を前記第２の光路に切り替えて伝播させる構成を有している。この構成により、外光が明るい場合、カラー映像で表示、外光が暗い場合、白黒映像で表示するため、白熱電球のような赤外光が多く含まれた照明下で被写体が撮像されても、色再現性を良好にする映像を表示することができる。
【０００９】
また、本発明の撮像装置は、第１の光路および第２の光路を有し、入射された、被写体の像の情報を含む光を前記第１の光路又は前記第２の光路に切り替えて伝播させる光路切替手段と、前記第１の光路から伝播された前記光を受光し、受光した前記光に応じたカラー映像信号を生成するカラー受光手段と、前記第２の光路から伝播された前記光を受光し、受光した前記光に応じた白黒映像信号を生成する白黒受光手段とを備え、さらに、前記光の明度が基準値以下か否かを検出する明度検出手段を備え、前記明度検出手段が検出した前記光の明度が前記基準値を超えている場合、前記光路切替手段は、前記光を前記第１の光路に切り替えて伝播させ、前記明度検出手段が検出した前記光の明度が前記基準値以下である場合、前記光路切替手段は、前記光を前記第２の光路に切り替えて伝播させ、また、前記明度検出手段が検出した前記光の明度が前記基準値以下である場合、赤外光を前記被写体に照射する赤外光照射手段を備えた構成を有している。この構成により、外光の明るさに応じて被写体に赤外光を照射するため、色再現性を良好にする映像を表示することができる。
【００１０】
また、本発明の撮像装置は、第１の光路および第２の光路を有し、入射された、被写体の像の情報を含む光を前記第１の光路又は前記第２の光路に切り替えて伝播させる光路切替手段と、前記第１の光路から伝播された前記光を受光し、受光した前記光に応じたカラー映像信号を生成するカラー受光手段と、前記第２の光路から伝播された前記光を受光し、受光した前記光に応じた白黒映像信号を生成する白黒受光手段とを備え、さらに、前記光の明度が基準値以下か否かを検出する明度検出手段を備え、前記明度検出手段が検出した前記光の明度が前記基準値を超えている場合、前記光路切替手段は、前記光を前記第１の光路に切り替えて伝播させ、前記明度検出手段が検出した前記光の明度が前記基準値以下である場合、前記光路切替手段は、前記光を前記第２の光路に切り替えて伝播させ、また、前記明度検出手段が検出した前記光の明度に応じて、前記赤外光照射手段は、前記赤外光を強弱させ前記被写体に照射する構成を有している。この構成により、外光の明るさに応じて被写体に赤外光を照射するため、色再現性をさらに良好にする映像を表示することができる。
【００１１】
【発明の実施の形態】
以下、本発明の実施の形態について、図面を用いて説明する。
図１は、本発明の第１の実施の形態の撮像装置のブロック構成を示す図である。本発明の第１の実施の形態の撮像装置１００は、被写体を撮像するカメラ付き玄関子機１１０と、撮像で得られた映像を表示するモニタテレビユニット１３０とによって構成される。
また、カメラ付き玄関子機１１０は、レンズ１１１、光の伝播先を切替える光路切替手段１１２、赤外光を除去する赤外カットフィルタ１１３、受光した光に応じたカラー映像信号を生成するカラー受光手段１１４、受光した光に応じた白黒映像信号を生成する白黒受光手段１１５、映像信号を処理する映像信号処理手段１１８、映像信号を変調する映像信号変調手段１１９、及び変調された映像信号を送信する映像信号送信手段１２０によって構成され、モニタテレビユニット１３０は、送信された映像信号を受信する映像信号受信手段１３１、変調された映像信号を復調する映像信号復調手段１３２、及び映像信号を表示する表示手段１３３によって構成される。
【００１２】
レンズ１１１は、光を集束または発散させて被写体の像を結ばせ、光を光路切替手段１１２に入射させるものである。
【００１３】
光路切替手段１１２は、第１の光路および第２の光路を有し、レンズ１１１によって入射された、被写体の像の情報を含む光を第１の光路又は第２の光路に切り替えて伝播させる手段である。
光路切替手段１１２は、外光が明るい場合、予め第１の光路に切替え、外光が暗い場合、予め第２の光路に切替え、第１の光路を通過した光を赤外カットフィルタ１１３に伝播させ、第２の光路を通過した光を白黒受光手段１１５に伝播させる。
【００１４】
赤外カットフィルタ１１３は、光路切替手段１１２によって伝播された光から赤外線成分を除去し、除去された光をカラー受光手段１１４に伝播させるフィルタである。
【００１５】
カラー受光手段１１４は、赤外カットフィルタ１１３によって伝播された光を受光し、受光した光に応じたカラー映像信号を生成し、生成されたカラー映像信号を映像信号処理手段１１８に出力する手段である。なお、カラー受光手段１１４は、カラー映像信号を生成するＣＣＤ（Ｃｈａｒｇｅ　Ｃｏｕｐｌｅｄ　Ｄｅｖｉｃｅｓ）でもよい。
例えば、カラー受光手段１１４は、固定されたレンズ１１１に対して可視光で被写体の像の焦点が合う位置に配置されている。
【００１６】
白黒受光手段１１５は、光路切替手段１１２によって伝播された光を受光し、受光した光に応じた白黒映像信号を生成し、生成された白黒映像信号を映像信号処理手段１１８に出力する手段である。なお、白黒受光手段１１５は、白黒映像信号を生成するＣＣＤでもよい。
例えば、白黒受光手段１１５は、固定されたレンズ１１１に対して赤外光で被写体の像の焦点が合う位置に配置されている。
【００１７】
映像信号処理手段１１８は、カラー受光手段１１４又は白黒受光手段１１５によって出力された映像信号を入力とし、入力された映像信号を編集し多重化し、多重化された映像信号を映像信号変調手段１１９に出力する手段である。
【００１８】
映像信号変調手段１１９は、映像信号処理手段１１８によって多重化された映像信号を入力とし、入力された映像信号を変調し、変調された映像信号を映像信号送信手段１２０に出力する手段である。
【００１９】
映像信号送信手段１２０は、映像信号変調手段１１９によって出力された変調された映像信号を入力とし、入力された映像信号をモニタテレビユニット１３０に送信する手段である。
【００２０】
映像信号受信手段１３１は、カメラ付き玄関子機１１０によって送信された映像信号を受信し、受信された映像信号を映像信号復調手段１３２に出力する手段である。
【００２１】
映像信号復調手段１３２は、映像信号受信手段１３１によって出力された映像信号を入力とし、入力された映像信号を復調し、復調された映像信号を表示手段１３３に出力する手段である。
【００２２】
表示手段１３３は、映像信号復調手段１３２によって出力された復調された映像信号を入力とし、入力された映像信号をディスプレイ等の画面に表示する手段である。
【００２３】
以下、撮像装置１００のカメラ付き玄関子機１１０及びモニタテレビユニット１３０の動作について説明する。
まず、被写体の像の情報を含む光は、カメラ付き玄関子機１１０のレンズ１１１に入射され、光路切替手段１１２に伝播される。
次に、外光が明るい場合には、光は、第１の光路を通過して、赤外カットフィルタ１１３に伝播される。赤外カットフィルタ１１３に伝播された光は、赤外線成分が除去され、カラー受光手段１１４に伝播され、カラー受光手段１１４によって受光した光に応じたカラー映像信号が生成される。
一方、外光が暗い場合には、光は、第２の光路を通過して、白黒受光手段１１５に伝播され、白黒受光手段１１５によって受光した光に応じた白黒映像信号が生成される。
次に、カラー映像信号と白黒映像信号の何れかの映像信号は、映像信号処理手段１１８によって多重化され、映像信号変調手段１１９によって変調され、映像信号送信手段１２０によってモニタテレビユニット１３０に送信される。
【００２４】
次に、映像信号は、モニタテレビユニット１３０の映像信号受信手段１３１によって受信され、映像信号復調手段１３２によって復調され、表示手段１３３によってディスプレイ等の画面に映像として表示される。
【００２５】
以上説明したように、本発明の第１の実施の形態の撮像装置は、外光が明るい場合、カラー映像で表示、外光が暗い場合、白黒映像で表示するため、白熱電球のような赤外光が多く含まれた照明下で被写体が撮像されても、色再現性を良好にする映像を表示することができる。
また、可視光、赤外光のどちらでも焦点が合う位置にＣＣＤ等の受光手段を配置するため、焦点ずれのない映像を撮像することができる。
【００２６】
図２は、本発明の第２の実施の形態の撮像装置のブロック構成を示す図である。本発明の第２の実施の形態の撮像装置２００は、被写体を撮像するカメラ付き玄関子機２１０と、撮像で得られた映像を表示するモニタテレビユニット２３０とによって構成される。
また、カメラ付き玄関子機２１０は、レンズ１１１、光の伝播先を切替える光路切替手段２１２、赤外光を除去する赤外カットフィルタ１１３、受光した光に応じたカラー映像信号を生成するカラー受光手段１１４、受光した光に応じた白黒映像信号を生成する白黒受光手段１１５、映像信号を処理する映像信号処理手段１１８、映像信号を変調する映像信号変調手段１１９、及び変調された映像信号を送信する映像信号送信手段１２０によって構成され、モニタテレビユニット２３０は、送信された映像信号を受信する映像信号受信手段１３１、変調された映像信号を復調する映像信号復調手段１３２、映像信号を表示する表示手段１３３、及び光路を切り替える信号である光路切替信号を外部から入力する切替信号入力手段２３４によって構成される。
なお、本発明の第２の実施の形態の撮像装置２００を構成する手段のうち、本発明の第１の実施の形態の撮像装置１００を構成する手段と同様の処理を行うものには同一の符号を付し、それぞれの説明を省略する。
【００２７】
光路切替手段２１２は、第１の光路および第２の光路を有し、レンズ１１１によって入射された、被写体の像の情報を含む光を第１の光路又は第２の光路に切り替えて伝播させる手段である。
【００２８】
光路切替手段２１２は、切替信号入力手段２３４によって出力された光路を切替える信号である光路切替信号を入力とし、入力された光路切替信号が第１の光路に切り替えることを示していた場合、第１の光路に切替え、入力された第２の光路に切り替えることを示していた場合、第２の光路に切替え、第１の光路を通過した光を赤外カットフィルタ１１３に伝播させ、第２の光路を通過した光を白黒受光手段１１５に伝播させる。
【００２９】
切替信号入力手段２３４は、利用者がボタン、スイッチ等を操作することに応じて、第１の光路または第２の光路に切替えることを示す光路切替信号を入力する手段である。切替信号入力手段２３４は、入力された光路切替信号を光路切替手段１１２に送信する。なお、切替信号入力手段２３４は、カメラ付き玄関子機２１０に具備されてもよい。
【００３０】
以下、撮像装置２００のカメラ付き玄関子機２１０及びモニタテレビユニット２３０の動作について説明する。
まず、光路切替信号は、利用者がボタン、スイッチ等を操作することに応じて切替信号入力手段２３４によって生成され、カメラ付き玄関子機２１０に出力される。
次に、光路切替信号は、光路切替手段２１２に入力され、第１の光路に切り替えることを示していた場合、第１の光路に切替わり、第２の光路に切り替えることを示していた場合、第２の光路に切替わる。
【００３１】
次に、被写体の像の情報を含む光は、カメラ付き玄関子機１１０のレンズ１１１に入射され、光路切替手段２１２に伝播される。
次に、第１の光路に切替わっている場合には、光は、第１の光路を通過して、赤外カットフィルタ１１３に伝播される。
一方、第２の光路に切替わっている場合には、光は、第２の光路を通過して、白黒受光手段１１５に伝播される。
【００３２】
以上説明したように、本発明の第２の実施の形態の撮像装置は、第１の光路または第２の光路に切替えることができるために、映像の品質に応じてカラー映像若しくは白黒映像の選択を提供することができる。
【００３３】
図３は、本発明の第３の実施の形態の撮像装置のブロック構成を示す図である。本発明の第３の実施の形態の撮像装置３００は、被写体を撮像するカメラ付き玄関子機３１０と、撮像で得られた映像を表示するモニタテレビユニット３３０とによって構成される。
また、カメラ付き玄関子機３１０は、レンズ１１１、光の伝播先を切替える光路切替手段２１２、赤外光を除去する赤外カットフィルタ１１３、受光した光に応じたカラー映像信号を生成するカラー受光手段１１４、受光した光に応じた白黒映像信号を生成する白黒受光手段１１５、赤外光を照射する赤外光照射手段３１６、映像信号を処理する映像信号処理手段１１８、映像信号を変調する映像信号変調手段１１９、変調された映像信号を送信する映像信号送信手段１２０、及び赤外光を照射する赤外光照射手段３１６によって構成され、モニタテレビユニット３３０は、送信された映像信号を受信する映像信号受信手段１３１、変調された映像信号を復調する映像信号復調手段１３２、映像信号を表示する表示手段１３３、及び光路を切り替える信号である光路切替信号を外部から入力する切替信号入力手段３３４によって構成される。
なお、本発明の第３の実施の形態の撮像装置３００を構成する手段のうち、本発明の第２の実施の形態の撮像装置２００を構成する手段と同様の処理を行うものには同一の符号を付し、それぞれの説明を省略する。
【００３４】
赤外光照射手段３１６は、切替信号入力手段３３４によって出力される点灯を指示する信号を入力とし、入力された点灯又は消灯を指示する信号に応じて赤外光を被写体に照射する手段である。なお、赤外光照射手段３１６は、発光源として赤外ＬＥＤ（Ｌｉｇｈｔ　Ｅｍｉｔｔｉｎｇ　Ｄｉｏｄｅ）を具備してもよい。
【００３５】
切替信号入力手段３３４は、利用者がボタン、スイッチ等を操作することに応じて、第１の光路または第２の光路に切替えることを示す光路切替信号を入力する手段である。切替信号入力手段３３４は、入力された光路切替信号を光路切替手段２１２に出力する。
【００３６】
また、切替信号入力手段３３４は、第２の光路に切替えることを示す光路切替信号を入力したときに、点灯を指示する信号を赤外光照射手段３１６に出力する。なお、切替信号入力手段３３４は、第１の光路に切替えることを示す光路切替信号を入力したときに、消灯を指示する信号を赤外光照射手段３１６に出力してもよい。
【００３７】
以下、撮像装置３００のカメラ付き玄関子機３１０及びモニタテレビユニット３３０の動作について説明する。
まず、光路切替信号は、利用者がボタン、スイッチ等を操作することに応じて切替信号入力手段３３４によって生成され、カメラ付き玄関子機２１０に出力される。
次に、光路切替信号は、光路切替手段２１２に入力され、第１の光路に切り替えることを示していた場合、第１の光路に切替わり、第２の光路に切り替えることを示していた場合、第２の光路に切替わる。
【００３８】
一方、光路切替信号が第２の光路に切り替えることを示していたときに、点灯を指示する信号は、切替信号入力手段３３４によって赤外光照射手段３１６に出力される。赤外光は、点灯を指示する信号に応じて赤外光照射手段３１６によって被写体に照射される。
【００３９】
以上説明したように、本発明の第３の実施の形態の撮像装置は、夜間など外光が暗い場合、被写体に赤外光を照射するため、色再現性を良好にする映像を表示することができる。
【００４０】
図４は、本発明の第４の実施の形態の撮像装置のブロック構成を示す図である。本発明の第４の実施の形態の撮像装置４００は、被写体を撮像するカメラ付き玄関子機４１０と、撮像で得られた映像を表示するモニタテレビユニット１３０とによって構成される。
また、カメラ付き玄関子機４１０は、レンズ１１１、光の伝播先を切替える光路切替手段４１２、赤外光を除去する赤外カットフィルタ１１３、受光した光に応じたカラー映像信号を生成するカラー受光手段１１４、受光した光に応じた白黒映像信号を生成する白黒受光手段１１５、光の明度を検出する明度検出手段４１７、映像信号を処理する映像信号処理手段１１８、映像信号を変調する映像信号変調手段１１９、及び変調された映像信号を送信する映像信号送信手段１２０によって構成され、モニタテレビユニット１３０は、送信された映像信号を受信する映像信号受信手段１３１、変調された映像信号を復調する映像信号復調手段１３２、及び映像信号を表示する表示手段１３３によって構成される。
なお、本発明の第４の実施の形態の撮像装置４００を構成する手段のうち、本発明の第１の実施の形態の撮像装置１００を構成する手段と同様の処理を行うものには同一の符号を付し、それぞれの説明を省略する。
【００４１】
光路切替手段４１２は、第１の光路および第２の光路を有し、レンズ１１１によって入射された、被写体の像の情報を含む光を第１の光路又は第２の光路に切り替えて伝播させる手段である。
【００４２】
光路切替手段４１２は、明度検出手段４１７によって出力された光路を切替える信号である光路切替信号を入力とし、入力された光路切替信号が第１の光路に切り替えることを示していた場合、第１の光路に切替え、入力された第２の光路に切り替えることを示していた場合、第２の光路に切替え、第１の光路を通過した光を赤外カットフィルタ１１３に伝播させ、第２の光路を通過した光を白黒受光手段１１５に伝播させる。
【００４３】
明度検出手段４１７は、外光の明度が基準値以下か否かを検出し、検出した外光の明度が前記基準値を超えている場合、第１の光路に切り替えることを示す切替え信号を光路切替手段４１２に出力する手段である。なお、明度検出手段４１７が検出する光は、レンズ１１１によって入射された光でもよい。
また、明度検出手段４１７は、検出した外光の明度が基準値以下である場合、第２の光路に切り替えることを示す切替え信号を光路切替手段４１２に出力する。
【００４４】
以下、撮像装置４００のカメラ付き玄関子機４１０及びモニタテレビユニット１３０の動作について説明する。
まず、光路切替信号は、外光の明度の基準値に応じて明度検出手段４１７によって生成され、光路切替手段４１２に出力される。
次に、光路切替信号は、光路切替手段４１２に入力され、第１の光路に切り替えることを示していた場合、第１の光路に切替わり、第２の光路に切り替えることを示していた場合、第２の光路に切替わる。
【００４５】
次に、被写体の像の情報を含む光は、カメラ付き玄関子機１１０のレンズ１１１に入射され、光路切替手段４１２に伝播される。
次に、第１の光路に切替わっている場合には、光は、第１の光路を通過して、赤外カットフィルタ１１３に伝播される。
一方、第２の光路に切替わっている場合には、光は、第２の光路を通過して、白黒受光手段１１５に伝播される。
【００４６】
以上説明したように、本発明の第４の実施の形態の撮像装置は、外光が明るい場合、カラー映像で表示、外光が暗い場合、白黒映像で表示するため、白熱電球のような赤外光が多く含まれた照明下で被写体が撮像されても、色再現性を良好にする映像を表示することができる。
【００４７】
図５は、本発明の第５の実施の形態の撮像装置のブロック構成を示す図である。本発明の第５の実施の形態の撮像装置５００は、被写体を撮像するカメラ付き玄関子機５１０と、撮像で得られた映像を表示するモニタテレビユニット１３０とによって構成される。
また、カメラ付き玄関子機５１０は、レンズ１１１、光の伝播先を切替える光路切替手段４１２、赤外光を除去する赤外カットフィルタ１１３、受光した光に応じたカラー映像信号を生成するカラー受光手段１１４、受光した光に応じた白黒映像信号を生成する白黒受光手段１１５、赤外光を照射する赤外光照射手段５１６、光の明度を検出する明度検出手段５１７、映像信号を処理する映像信号処理手段１１８、映像信号を変調する映像信号変調手段１１９、及び変調された映像信号を送信する映像信号送信手段１２０によって構成され、モニタテレビユニット１３０は、送信された映像信号を受信する映像信号受信手段１３１、変調された映像信号を復調する映像信号復調手段１３２、及び映像信号を表示する表示手段１３３によって構成される。
なお、本発明の第５の実施の形態の撮像装置５００を構成する手段のうち、本発明の第４の実施の形態の撮像装置４００を構成する手段と同様の処理を行うものには同一の符号を付し、それぞれの説明を省略する。
【００４８】
赤外光照射手段５１６は、明度検出手段５１７によって出力される点灯を指示する信号を入力とし、入力された点灯又は消灯を指示する信号に応じて赤外光を被写体に照射する手段である。
【００４９】
また、赤外光照射手段５１６は、明度検出手段５１７によって出力される光の明度に関する情報を入力とし、入力された光の明度に関する情報に応じて、赤外光を強弱させ被写体に照射してもよい。なお、赤外光照射手段５１６は、発光源として赤外ＬＥＤ（Ｌｉｇｈｔ　Ｅｍｉｔｔｉｎｇ　Ｄｉｏｄｅ）を具備してもよい。
【００５０】
明度検出手段５１７は、外光の明度が基準値以下か否かを検出し、検出した外光の明度が基準値以下である場合、第２の光路に切り替えることを示す切替え信号を光路切替手段４１２に出力し、また点灯を指示する信号を赤外光照射手段５１６に出力する手段である。明度検出手段５１７は、外光の明度が基準値以下か否かを検出し、検出した外光の明度が前記基準値を超えている場合、第１の光路に切り替えることを示す切替え信号を光路切替手段４１２に出力する。ここで、明度検出手段５１７は、消灯を指示する信号を赤外光照射手段５１６に出力してもよい。
また、明度検出手段５１７は、検出した外光の明度に基づいて光の明度に関する情報を生成し、生成された光の明度に関する情報を赤外光照射手段５１６に出力する。
【００５１】
以下、撮像装置５００のカメラ付き玄関子機５１０及びモニタテレビユニット１３０の動作について説明する。
まず、光路切替信号は、外光の明度の基準値に応じて明度検出手段５１７によって生成され、光路切替手段４１２に出力される。
次に、光路切替信号は、光路切替手段４１２に入力され、第１の光路に切り替えることを示していた場合、第１の光路に切替わり、第２の光路に切り替えることを示していた場合、第２の光路に切替わる。
【００５２】
一方、光路切替信号が第２の光路に切り替えることを示していたときに、点灯を指示する信号は、明度検出手段５１７によって赤外光照射手段５１６に出力される。赤外光は、点灯を指示する信号に応じて赤外光照射手段５１６によって被写体に照射される。
【００５３】
以上説明したように、本発明の第５の実施の形態の撮像装置は、外光の明るさに応じて被写体に赤外光を照射するため、色再現性をさらに良好にする映像を表示することができる。
【００５４】
【発明の効果】
以上説明したように、本発明は、白熱電球のような赤外光が多く含まれた照明下で被写体が撮像されても、色再現性を良好にする映像を表示すると共に、可視光若しくは赤外光でも焦点ずれのない優れた撮像装置を提供することができるものである。
【図面の簡単な説明】
【図１】本発明の第１の実施の形態の撮像装置のブロック構成を示す図
【図２】本発明の第２の実施の形態の撮像装置のブロック構成を示す図
【図３】本発明の第３の実施の形態の撮像装置のブロック構成を示す図
【図４】本発明の第４の実施の形態の撮像装置のブロック構成を示す図
【図５】本発明の第５の実施の形態の撮像装置のブロック構成を示す図
【図６】従来の撮像装置であるテレビドアホン装置におけるカメラ玄関子機の構成を示す図
【符号の説明】
１００、２００、３００、４００、５００　撮像装置
１１０、２１０、３１０、４１０、５１０、６１０　カメラ付き玄関子機
１１１、６１１　レンズ
１１２、２１２、４１２　光路切替手段
１１３、６１３　赤外カットフィルタ
１１４、６１４　カラー受光手段
１１５　白黒受光手段
３１６、５１６、６１６　赤外光照射手段
４１７、５１７、６１７　明度検出手段
１１８　映像信号処理手段
１１９　映像信号変調手段
１２０　映像信号送信手段
１３０、２３０、３３０　モニタテレビユニット
１３１　映像信号受信手段
１３２　映像信号復調手段
１３３　表示手段
２３４、３３４　切替信号入力手段
【図１】
2004096533.tif 000003
【図２】
2004096533.tif 000004
【図３】
2004096533.tif 000005
【図４】
2004096533.tif 000006
【図５】
2004096533.tif 000007
【図６】
2004096533.tif 000008